(57)【要約】【課題】上側からの荷重に対する強度を向上させることができるフリーアクセスフロア用パネルを提供する。【解決手段】平板状のトップシート６と凹部を有するボトムシート３４とを備え、ボトムシート３４に多数の第１補強用絞り部８が形成された鋼板製のフリーアクセスフロア用パネル３２であって、ボトムシート３４の中央部に第１補強用絞り部８より大きな第２補強用絞り部３６を形成すると共に、第２補強用絞り部３６の先端側の平坦部に片面が盛り上りその裏面が凹むような補強用リブ４０を形成した。【効果】その中央部及び各辺の中央部の強度を向上させることにより、フリーアクセスフロア用パネルの上側から所定値以上の荷重が加わっても撓み量を少なくでき、フリーアクセスフロア用パネルの強度を向上させることができる。【選択図】　　　図４
2004124552.tif 000002
【特許請求の範囲】
【請求項１】
平板状のトップシートと凹部を有するボトムシートとを備え、前記ボトムシートに多数の第１補強用絞り部が形成された鋼板製のフリーアクセスフロア用パネルであって、
前記ボトムシートの中央部に前記第１補強用絞り部より大きな第２補強用絞り部を形成すると共に、
前記第２補強用絞り部の先端側の平坦部に片面が盛り上りその裏面が凹むような補強用リブを形成した
ことを特徴とするフリーアクセスフロア用パネル。
【請求項２】
前記ボトムシートの各辺の中央部内側に、前記第１補強用絞り部より大きな第３補強用絞り部を設けた請求項１に記載のフリーアクセスフロア用パネル。
【請求項３】
平板状のトップシートと凹部を有するボトムシートとを備え、前記ボトムシートに多数の第１補強用絞り部が形成された鋼板製のフリーアクセスフロア用パネルであって、
前記ボトムシートの凹部の四隅部に、ボトムシートの各辺に近づくように膨出する膨出部を形成し、この膨出部の底面に支持脚調整台の突起部が挿入可能な孔を形成した
ことを特徴とするフリーアクセスフロア用パネル。
【発明の詳細な説明】
【０００１】
【発明の属する技術分野】
本発明は、オフィスやクリーンルーム等の床下に配線等の格納や給排気等のための空間を確保することができるフリーアクセスフロアに使用される、フリーアクセスフロア用パネルに関するものである。
【０００２】
【従来の技術】
鋼板製のフリーアクセスフロア用パネルは、例えば図８に符号２で示すように、周部より内側の溝形状部１４が深さを有するよう凹んだボトムシート４と、単なる平板状のトップシート６で構成される。
【０００３】
このフリーアクセスフロア用パネル２のボトムシート４の溝形状部１４より内側には、その強度を向上させるために、多数箇所に第１補強用絞り部８が形成されている。この第１補強用絞り部８は、プレス絞り加工により、図８に示すように略半球状に形成され、その先端部に平坦部１０が形成されて、図７に示すように多数箇所に配列して設けられている。
【０００４】
これらの第１補強用絞り部８を囲むようにして周縁部１２の若干内側には、溝形状部１４が形成されている。そして、図８に示すように、ボトムシート４はその周縁部１２と、第１補強用絞り部８の先端の平坦部１０がトップシート６に当接し、これらの当接部をスポット溶接することなどにより、ボトムシート４がトップシート６に一体的に固定されるようになっている。
【０００５】
【発明が解決しようとする課題】
しかしながら、このようなフリーアクセスフロア用パネル２を用いてフリーアクセスフロアを形成する場合には、図７に示すような四隅に形成される角孔１６の各々に、図９に示すような支持脚調整台１８の上面２０に設けられた、４つの突起部２２のうちの１つを挿入するようにする。そして、図１０に示すように、４枚のフリーアクセスフロア用パネル２の各隅部を１つの調整台１８により支持するようになっている。
【０００６】
そのため、フリーアクセスフロア用パネル２の上側から所定値以上の大きい荷重が加わったときに、そのパネル中央部や各辺の中央部の撓み量が大きくなってしまうという、強度不足が生じるおそれがあった。
【０００７】
そこで本発明は、上側からの荷重に対する強度を向上させることができるフリーアクセスフロア用パネルを提供することを課題とするものである。
【０００８】
【課題を解決するための手段】
上記課題を解決するために、本発明によるフリーアクセスフロア用パネルは、平板状のトップシートと凹部を有するボトムシートとを備え、前記ボトムシートに多数の第１補強用絞り部が形成された鋼板製のフリーアクセスフロア用パネルであって、
前記ボトムシートの中央部に前記第１補強用絞り部より大きな第２補強用絞り部を形成すると共に、
前記第２補強用絞り部の先端側の平坦部に片面が盛り上りその裏面が凹むような補強用リブを形成したことを特徴とするものである。
【０００９】
【発明の実施の形態】
以下、本発明に係るフリーアクセスフロア用パネルの実施の形態について、図面に基づいて具体的に説明する。
図１ないし図６は、本発明に係るフリーアクセスフロア用パネルの一実施の形態について説明するために参照する図である。
【００１０】
上記の図に示す、本発明の一実施の形態に係るフリーアクセスフロア用パネル３２は、前記従来のフリーアクセスフロア用パネル２と同じ部分には同じ符号を付して説明し、その従来の部分と同様の構成についての重複する説明は省略するものとする。
【００１１】
図１に示すように、ボトムシート３４の中央部には、周辺の多数の第１補強用絞り部８より大きな第２補強用絞り部３６が形成されている。この第２補強用絞り部３６の形状は、プレス絞り加工により、正方形状に配置された４つの第１補強用絞り部８の互いの隣接部が一体的に連続するようにして形成されている。
【００１２】
このような第２補強用絞り部３６の形状の先端側（トップシート６側）の中央部には、図３及び図４に示すような略Ｘ字型の平坦部３８が形成され、この平坦部３８はトップシート６に接触して、そのトップシート６を受ける面積が大きくなるようになっている。
【００１３】
このような、第１補強用絞り部８より大きな第２補強用絞り部３６がボトムシート３４の中央部に形成されることにより、フリーアクセスフロア用パネル３２の上側から加わる荷重に対する強度を向上させることができる。
【００１４】
そして図３及び図４に示すように、第２補強用絞り部３６の平坦部３８には第２補強用絞り部３６と絞り方向が逆の、内側面が盛り上がり外側面が凹むような補強用リブ４０が、平坦部３８の放射方向に沿って形成されている。
【００１５】
このため、補強用リブ４０により第２補強用絞り３６の平坦部３８の強度を向上させることができることにより、フリーアクセスフロア用パネル３２の上側から加わる荷重に対する強度をより向上させることができる。
【００１６】
また、図１に示すように、ボトムシート３４の各辺の中央部内側には、第３補強用絞り部４２が形成されている。この第３補強用絞り部４２は、図２に示すように、複数の第１補強用絞り部８がその近傍の各辺の方向に沿って繋がるように形成され、トップシート６に当接する平坦部４４の面積が、第１補強用絞り部８の平坦部１０よりも大きくなるようになっている。
【００１７】
このような第３補強用絞り部４２が、ボトムシート３４の各辺の中央部内側に形成されることにより、フリーアクセスフロア用パネル３２の上側から加わる荷重に対する強度をさらに向上させることができる。
【００１８】
一方、図１，２に示すように、ボトムシート３４の周部と多数の第１補強用絞り部８の間の溝形状部１４はその四隅部に、ボトムシート３４の各辺に近づくように膨出する膨出部１４ａが形成され、その膨出部１４ａの底面には図１に示すような角孔１６（孔）が形成されている。このため、膨出部１４ａを形成しない場合に比べて角孔１６を、ボトムシート３４の各辺の隅部寄りに配置することができるようになっている。
【００１９】
したがって、図５及び図６に示すように、本発明による鋼板製のフリーアクセスフロア用パネル３２とは別の、例えばアルミダイカスト製のフリーアクセスフロア用パネルの支持に用いる支持脚調整台４８のように、上面５０の面積が前記従来の支持脚調整台１８より小さくて、突起部５２の間隔が前記従来の、鋼板製のフリーアクセスフロア用パネル２に用いる支持脚調整台１８の突起部２２より狭いものであっても、それを兼用して使用することが可能となる。
【００２０】
このため、本発明による鋼板製のフリーアクセスフロア用パネル３２と、アルミダイカスト製のフリーアクセスフロア用パネルを隣り合わせとなるようにして、鋼板製とアルミダイカスト製の両方のフリーアクセスフロア用パネルから成るフリーアクセスフロアを形成するようなことも可能となる。
【００２１】
このため、高価なアルミダイカスト製のフリーアクセスフロア用パネルを配置する必要のない部分に安価である鋼板製のフリーアクセスフロア用パネル３２を代替して使用したい場合や、アルミダイカスト製のフリーアクセスフロア用パネルと鋼板製のフリーアクセスフロア用パネル３２が混合して配置されているフリーアクセスフロアのレイアウトを変更したい場合でも、支持脚調整台の使い分けや交換及び配置位置の変更をする必要はなく、すべて同じ支持脚調整台で対応することができるので、その施工性の向上や施工費のコストダウンを図ることができる。
【００２２】
【発明の効果】
以上に説明したように、本発明によるフリーアクセスフロア用パネルによれば、その中央部及び各辺の中央部の強度を向上させることにより、フリーアクセスフロア用パネルの上側から所定値以上の荷重が加わっても撓み量を少なくでき、フリーアクセスフロア用パネルの強度を向上させることができる。
【００２３】
また、ボトムシートの四隅部に設けられる孔を従来のものより隅部寄りに配置することができるので、アルミダイカスト製のフリーアクセスフロア用パネルのような材質の異なるものに用いられる支持脚調整台を兼用して使用することが可能となる。
【図面の簡単な説明】
【図１】本発明の一実施の形態に係るフリーアクセスフロア用パネル３２のボトムシート３４側から見た下面図である。
【図２】図１におけるフリーアクセスフロア用パネル３２のＡ−Ａ線断面矢視図である。
【図３】図１におけるフリーアクセスフロア用パネル３２の中央部の第２補強用絞り部３６の拡大図である。
【図４】図３における第２補強用絞り部３６のＢ−Ｂ線断面矢視図である。
【図５】アルミダイカスト製のフリーアクセスフロア用パネルに用いる支持脚調整台４８に本発明の鋼板製のフリーアクセスフロア用パネル３２の隅部を載置した状態を示す、互いに隣接するフリーアクセスフロア用パネル３２，３２の部分側面図である。
【図６】図５における支持脚調整台４８及びそれに支持される４つのフリーアクセスフロア用パネル３２の各隅部の上面図である。
【図７】従来の鋼板製のフリーアクセスフロア用パネル２を示す下面図である。
【図８】図７におけるフリーアクセスフロア用パネル２のＣ−Ｃ線断面矢視図である。
【図９】従来の鋼板製のフリーアクセスフロア用パネルに用いる支持脚調整台１８に鋼板製のフリーアクセスフロア用パネル２の隅部を載置した状態を示す部分側面図である。
【図１０】図９における支持脚調整台１８及びそれに支持される４つのフリーアクセスフロア用パネル２の各隅部の上面図である。
【符号の説明】
２　フリーアクセスフロア用パネル
４　ボトムシート
６　トップシート
８　第１補強用絞り部
１０　平坦部
１２　周縁部
１４　溝形状部
１６　角孔
１８　支持脚調整台
２０　上面
２２　突起部
３２　フリーアクセスフロア用パネル
３４　ボトムシート
３６　第２補強用絞り部
３８　平坦部
４０　補強用リブ
４２　第３補強用絞り部
４４　平坦部
４８　支持脚調整台
５０　上面
５２　突起部
【図１】
2004124552.tif 000003
【図２】
2004124552.tif 000004
【図３】
2004124552.tif 000005
【図４】
2004124552.tif 000006
【図５】
2004124552.tif 000007
【図６】
2004124552.tif 000008
【図７】
2004124552.tif 000009
【図８】
2004124552.tif 000010
【図９】
2004124552.tif 000011
【図１０】
2004124552.tif 000012